(57)【要約】      （修正有）【課題】医薬品を調合するためのシステムを提供する。【解決手段】薬局調合システム１は、医薬品を調合するための指令を作業者に与えるユーザーインタフェース３およびこのユーザーインタフェースに対して操作可能に結合される少なくとも１つのプロセッサを具えた演算機器と、前記少なくとも１つのプロセッサに対して操作可能に結合される秤量器９と、前記少なくとも１つのプロセッサおよび前記秤量器に対して操作可能に結合され、かつ前記医薬品の調合中に用いられる要素および前記医薬品の少なくとも一方の画像を取り込むように配された画像取込装置とを具えている。【選択図】図２
2019166404.tif 000002
【特許請求の範囲】
【請求項１】
医薬品を調合するためのシステムであって、
作業者に医薬品を調合するための指令を与えるユーザーインタフェースおよびこのユーザーインタフェースに対して操作可能に結合される少なくとも１つのプロセッサを具えた演算機器と、
前記少なくとも１つのプロセッサに対して操作可能に結合される秤量器と、
前記少なくとも１つのプロセッサおよび前記秤量器に対して操作可能に結合される画像取込装置であって、前記医薬品の調合中に用いられる要素および前記医薬品の少なくとも一方の画像を取り込むように配された画像取込装置と
を具えていることを特徴とするシステム。
【請求項２】
前記秤量器は、前記少なくとも１つの要素をそこに置いた場合、検出される重量がそれによって変化することを示す信号を前記少なくとも１つのプロセッサに伝達し、前記少なくとも１つのプロセッサは、前記信号に基づいて前記少なくとも１つの要素の画像を取り込むことを前記画像取込装置に引き起こさせることを特徴とする請求項１に記載のシステム。
【請求項３】
前記秤量器は、前記医薬品の調合中に用いられる前記要素の少なくとも１つの正確な量が前記少なくとも１つの要素の重量に基づいて作業者により抜き取られたことを確認するために前記少なくとも１つのプロセッサへと信号を伝達し、前記少なくとも１つのプロセッサは、この少なくとも１つのプロセッサが前記少なくとも１つの要素の正確な量を確認した場合、前記少なくとも１つの要素の前記画像を取り込むことを前記前記画像取込装置に引き起こさせることを特徴とする請求項１に記載のシステム。
【請求項４】
前記画像取込装置は、前記秤量器にある少なくとも１つの要素の重量が安定している場合、前記少なくとも１つの要素の画像を取り込むことを引き起されることを特徴とする請求項１に記載のシステム。
【請求項５】
前記少なくとも１つの要素の前記画像は、作業者による点検のために前記ユーザーインタフェースに表示されることを特徴とする請求項１に記載のシステム。
【請求項６】
前記秤量器からの前記少なくとも１つの要素の撤去は、前記少なくとも１つのプロセッサが前記画像をこの画像に関連するデータレコードと共に受信すると共に前記医薬品を調合するための指令の次のステップへと作業者が移行することを可能にするために前記ユーザーインタフェースに指令を与えることを特徴とする請求項５に記載のシステム。
【請求項７】
前記データレコードおよび画像が確認のために薬剤師に与えられることを特徴とする請求項６に記載のシステム。
【請求項８】
前記画像が作業者によって受け入れ難いとみなされる場合、前記ユーザーインタフェースは、画像を再取得する機能を前記作業者に与えるように構成されていることを特徴とする請求項５に記載のシステム。
【請求項９】
前記ユーザーインタフェースに対して操作可能に接続するスキャナーをさらに具えていることを特徴とする請求項１に記載のシステム。
【請求項１０】
前記スキャナーは、前記少なくとも１つの要素に与えられたバーコードを走査すると共に前記少なくとも１つのプロセッサに前記少なくとも１つの要素に関する情報を与えるように構成されていることを特徴とする請求項９に記載のシステム。
【請求項１１】
医薬品を調合するためシステムであって、
医薬品を調合するための指令を作業者に与えるユーザーインタフェースおよびこのユーザーインタフェースに対して操作可能に結合される少なくとも１つのプロセッサを具えた演算機器と、
前記少なくとも１つのプロセッサに対して操作可能に結合される秤量器と、
医薬品の調合中に前記秤量器に置かれた物品の画像を取り込むように置かれた視界を有する画像取込装置を具え、この画像取込装置が前記少なくとも１つのプロセッサに対して操作可能に結合される筺体と
を具え、前記秤量器は、前記少なくとも１つの要素の重量に基づいて前記医薬品の少なくとも１つの要素の正確な量を確認するために前記少なくとも１つのプロセッサに信号に伝達し、
前記画像取込装置は、前記少なくとも１つのプロセッサが前記少なくとも１つの要素の正確な量を確認した場合、前記秤量器に置かれた物品の画像を取り込むことを特徴とするシステム。
【請求項１２】
請求項１１のシステムにて、前記筺体は秤量器の上方に配される。
【請求項１３】
前記筺体は、バーコードスキャナーをさらに具えていることを特徴とする請求項１１に記載のシステム。
【請求項１４】
前記バーコードスキャナーが前記秤量器に対して傾けられていることを特徴とする請求項１３に記載のシステム。
【請求項１５】
前記バーコードスキャナーは、前記秤量器に対してオフセットされたセンサーを有することを特徴とする請求項１３に記載のシステム。
【請求項１６】
前記筺体は、フローフード内での流動妨害を最小にするため、流線形の形状を有することを特徴とする請求項１１に記載のシステム。
【請求項１７】
医薬品の確認調合を点検するためのシステムであって、
前記医薬品の調合に関する情報を受信するように形成され、この情報が少なくとも１つの前記医薬品の調合ステップの少なくとも１つの画像と、前記少なくとも１つの医薬品の調合ステップ中に秤量器によって与えられる重量測定情報とを具えているプロセッサと、
このプロセッサに対して操作可能に結合され、当該プロセッサからの指令に基づき、前記少なくとも１つの医薬品の調合ステップの前記少なくとも１つの画像と、前記重量測定情報に基づいて前記医薬品の濃度が許容公差の範囲内にあるか否かの指示とを表示するように構成されたユーザーインタフェースと
を具えたことを特徴とするシステム。
【請求項１８】
前記少なくとも１つの医薬品の調合ステップの前記少なくとも１つの画像は、それぞれの前記医薬品の調合ステップの画像を含み、前記ユーザーインタフェースは、それぞれのステップのサムネイル画像を表示する領域を含むことを特徴とする請求項１７に記載のシステム。
【請求項１９】
前記サムネイル画像のそれぞれに描かれた前記医薬品の調合ステップに関する前記医薬品の濃度が前記許容公差の範囲内にあるか否かを確認するため、図形による指示が前記サムネイル画像のそれぞれに重ね合わされることを特徴とする請求項１８に記載のシステム。
【請求項２０】
前記ユーザーインタフェースは、表示される前記医薬品の調合の少なくとも１つのステップの少なくとも１つの画像に対応した前記医薬品の調合に関する指令を表示する領域を含むことを特徴とする請求項１７に記載のシステム。
【発明の詳細な説明】
【技術分野】
【０００１】
〔関連出願に対する相互参照〕
この出願は、２０１４年９月８日に提出された「最小ユーザー入力での視覚的文書自動化機能」という名称の米国特許仮出願第６２／０４７３２５号と、２０１４年１０月２９日に提出された「医薬品を調合するシステムのための薬剤師点検拡張モジュール」という名称の米国特許仮出願第６２／０７２１６０号と、２０１４年１０月２９日に提出された「薬剤調合システムの入力機器のための空気力学的流線形筺体」という名称の米国特許仮出願第６２／０７２０５４号と、２０１４年１１月１１日に提出された「薬剤調合システムの入力機器のための空気力学的流線形筺体」という名称の米国特許仮出願第６２／０７８０６７号と、２０１４年１１月１１日に提出された「医薬品調合のための拡張プラテン」という名称の米国特許仮出願第６２／０７７９６８号とに対する優先権を請求する。そのそれぞれの開示全体は参照することによって、ここに組み入れられる。
【０００２】
本開示は、化学療法剤の如き処方された流動性医薬品を調合して投与するためのシステムおよび方法、より詳細には、正確性のために後で確認され、コンピューター支援の指令に基づいて調合され、測定した重量に基づいて確認され、ほぼ自動的に視覚的文書を与えられ、そして患者に投与される患者のための処方箋に記入することを医者が可能にするシステムおよび方法に概ね向けられる。
【背景技術】
【０００３】
薬剤の調合および分配を伴う多くの技術的職務は、薬局の技術者または認可された看護師により薬局にて行うことができる。非薬剤師がこのような職務を行う場合、薬剤師が彼らの仕事を概ね確認しなければならない。非調剤技師による医薬品の調合の様々なステップの画像を取得して薬剤師がこの調合を後で点検することを可能にする様々なシステムが開発されている。このようなシステムは、薬剤調合ステップの画像を取り込むため、いくつかの種類の能動的ステップを行うことを一般的に技術者に要求する。例えば、画像の取り込みを引き起こさせるため、ユーザーはタッチスクリーンまたは足踏みペダルを使用しなければならない可能性がある。
【発明の概要】
【発明が解決しようとする課題】
【０００４】
しかしながら、このようなシステムは、適切な画像を取り込むために非調剤技師による能動的ステップを必要とするので、錯誤を起こす可能性があり、監督する薬剤師が処方箋を適切に確認することを妨げる。加えて、このような従来技術のシステムは、処方箋を確認するための如何なる他の手段を含まず、確認のために処方の調合中に得られた画像に対してのみ全面的に頼っている。
【０００５】
加えて、システムはまた、適切な薬剤濃度を確かめるため、手順によってチェックされる重量測定情報を利用することも開発されている。しかしながら、薬剤が適切に混合されていることを確実にするため、画像確認システムおよび重量測定確認システムからの情報を組み合わせたシステムが現在のところない。
【０００６】
従って、特定の薬剤調合の条件が満たされた場合に画像を取り込むステップを引き起こし、如何なる追加のユーザー入力なしで次の薬剤調合ステップへと移行するシステムに関する要求が存在する。さらなる要求は、明確かつ容易に読み取り可能な方法にて点検する薬剤師に対して薬剤調合ステップ中に得られる画像情報および重量測定値の両方を表示し、この薬剤師が特定の薬剤調合を迅速に承認または拒絶することができるようにしたシステムに関して存在する。
【課題を解決するための手段】
【０００７】
本発明の一形態によると、提供されるものは、医薬品を調合するためのシステムである。このシステムは、医薬品を調合するための指令を作業者に与えるユーザーインタフェースおよびこのユーザーインタフェースに操作可能に結合される少なくとも１つのプロセッサを具えた演算機器と、前記少なくとも１つのプロセッサに操作可能に結合される秤量器と、前記少なくとも１つのプロセッサと前記秤量器とに操作可能に結合されて前記医薬品を調合中に用いられる要素および前記医薬品の少なくとも一方の画像を取り込むように配された画像取込装置とを具えている。一実施形態において、前記秤量器は、前記少なくとも１つの要素をそこに置いた場合、検出される重量がそれによって変化することを示す信号を前記少なくとも１つのプロセッサに伝達する。前記少なくとも１つのプロセッサは、前記信号に基づいて前記少なくとも１つの要素の画像を取り込むことを前記画像取込装置に引き起こさせることができる。代わりに、前記秤量器は、前記医薬品を調合中に用いられる少なくとも１つの要素の正確な量が前記少なくとも１つの要素の重量に基づいて作業者により抜き取られたことを確認する信号を少なくとも１つのプロセッサに伝達するように構成することができ、前記少なくとも１つのプロセッサが前記少なくとも１つの要素の正確な量を確認した場合、前記少なくとも１つのプロセッサは、前記少なくとも１つの要素の画像を取り込むことを画像取込装置に引き起こさせる。
【０００８】
前記画像取込装置は、前記秤量器にある少なくとも１つの要素の重量が安定している場合、前記少なくとも１つの要素の画像を取り込むことを引き起されることができる。前記秤量器からの前記少なくとも１つの要素の撤去は、前記少なくとも１つのプロセッサが前記画像をこの画像に関連するデータレコードと共に受信すると共に前記医薬品を調合するための指令の次のステップへと作業者が移行することを可能にするために前記ユーザーインタフェースに指令を与えることができる。前記データレコードおよび画像が確認のために薬剤師に与えられることができる。前記画像が作業者によって受け入れ難いとみなされる場合、前記ユーザーインタフェースは、画像を再取得する機能を前記作業者に与えるように構成されることができる。
【０００９】
前記秤量器の上面が前記画像取込装置により作り出される画像の中央の作業者に対する視覚的指示を与えることができる。この視覚的指示は、前記秤量器の上面に形成された交差凹部であってよい。スキャナーを前記ユーザーインタフェースに対して操作可能に接続することができる。このスキャナーは、前記少なくとも１つの要素に与えられたバーコードを走査すると共に前記少なくとも１つのプロセッサに前記少なくとも１つの要素に関する情報を与えるように構成されることができる。
【００１０】
本発明の他の形態によると、提供されるものは、医薬品を調合するためのシステムである。このシステムは、医薬品を調合するための指令を作業者に与えるユーザーインタフェースおよびこのユーザーインタフェースに対して操作可能に結合される少なくとも１つのプロセッサを具えた演算機器と、前記少なくとも１つのプロセッサに対して操作可能に結合される秤量器と、前記医薬品の調合中に前記秤量器に置かれた物品の画像を取り込むように置かれた視界を有する画像取込装置を具えた筺体とを具えている。この画像取込装置は、前記少なくとも１つのプロセッサに対して操作可能に結合されている。前記秤量器は、前記少なくとも１つの要素の重量に基づいて前記医薬品の少なくとも１つの要素の正確な量を確認するために前記少なくとも１つのプロセッサに信号に伝達する。前記画像取込装置は、前記少なくとも１つのプロセッサが前記少なくとも１つの要素の正確な量を確認した場合、前記秤量器に置かれた物品の画像を取り込む。
【００１１】
前記筺体は、秤量器の上方に配されることができ、またバーコードスキャナーをさらに具えることができる。このバーコードスキャナーは、前記秤量器に対してオフセットされたセンサーを含むことができる。前記筺体は、フローフード内での流動妨害を最小にするために流線形の形状を有することができる。
【００１２】
本開示のシステムの他の目的は、薬剤師が特定の薬剤調合を迅速に承認するか、または拒否することができるように、このシステムが薬剤調合ステップ中に取得される画像情報および重量測定の両方を明確かつ容易に読み取り可能な方法にて薬剤師に対し表示し、処方された流動性医薬品を調合する技術者によって行われるステップを薬剤師が正確に確認することを可能にすることである。２つの異なる種類の情報（すなわち、画像および重量測定情報）を重畳することは、この複合措置と、調合の品質およびこの調合を行う技術者のより良好な判断に対する機会とに関し、貴重な洞察を薬剤師に与える。
【００１３】
このようなシステムは、段階的な指令をコンピュータースクリーンに与えると共に秤量器を用いて混合された液体の重量を測定することにより異なる混合ステップを確認することで、この異なる混合ステップを介した薬剤処理指示を薬局にて処理するように薬剤師または技術者を誘導する。そして測定された重量は、必要な混合精度が達成されているか否かを調べる数学的手法にて分析される。物品が秤量器に置かれる度に、この秤量器の上の画像が混合処理の視覚的文書証跡を作成するために取り込まれる。画像は、秤量器からの記録された測定値および結果としてログファイルとなる手順と共に記憶される。測定された薬剤の重量が予想される重量のあらかじめ設定された公差範囲にない場合、ソフトウェアは、これを許容公差範囲内にもたらすために薬剤の量を変更するための指令を作成する。このソフトウェアは、現在のステップにて必要とされる公差が達成されない限り、次の混合ステップへと移行しない。
【００１４】
特に、このシステムは薬剤師が特定の調合薬剤の画像を点検し、患者に公表するための調合を承認するか、または承認しないかの何れかをできる薬剤師点検モジュールを含む。取り込まれた画像は、対応する混合指令および薬剤の濃度が数学的手法によって設定されたような許容公差範囲内または外にあるかどうかの表示と共に示される。従って、薬剤師点検モジュールは、秤量器を用いて収集され、あらかじめ規定された承認基準に準拠するための数学的手法により確認される計量測定値と重ね合わされる視覚的情報（すなわち、それぞれの調合ステップの画像）をもたらす。
【００１５】
より詳細には、提供されるものは医薬品の確認調合を点検するためのシステムである。このシステムは、前記医薬品の調合に関する情報を受信するように構成されたプロセッサを具えている。前記情報は、少なくとも１つの前記医薬品の調合ステップの少なくとも１つの画像と、前記少なくとも１つの医薬品の調合ステップ中に秤量器によって与えられる重量測定情報とを具えている。このシステムはまた、前記プロセッサに対して操作可能に結合され、前記プロセッサから指令に基づき、 前記少なくとも１つの医薬品の調合ステップの前記少なくとも１つの画像と、前記重量測定情報に基づいて医薬品の濃度が許容公差の範囲内にあるか否かの指示とを表示するように構成されたユーザーインタフェースとを含む。
【００１６】
前記少なくとも１つの医薬品の調合ステップの前記少なくとも１つの画像は、それぞれの前記医薬品の調合ステップの画像を含み、前記ユーザーインタフェースは、それぞれのステップのサムネイル画像を表示する領域を含むことができる。前記サムネイル画像のそれぞれに描かれた前記医薬品の調合ステップに関する前記医薬品の濃度が前記許容公差の範囲内にあるか否かを確認するため、図形による指示が前記サムネイル画像のそれぞれに重ね合わされることができる。前記ユーザーインタフェースはまた、表示される前記医薬品の調合の少なくとも１つのステップの少なくとも１つの画像に対応した前記医薬品の調合に関する指令を表示する領域を含むことができる。
【００１７】
本発明のこれらおよび他の特徴および特性は、関連する要素の機能および操作方法や、製造部品および経済性の組み合わせのみならず、類似する参照符号が種々の図面にて対応する要素を示し、そのすべてがこの明細書の一部を形成する添付した図面を参照しつつ次の説明および添付した特許請求の範囲の検討によって、より明白となろう。しかしながら、図面は単なる例示および説明の目的のためだけにあって、本発明の範囲を規定するように意図していないことを特に理解すべきである。明細書および特許請求の範囲で用いたように、"ａ"、"ａｎ"および"ｔｈｅ"の単数形は、文脈が明確に規定しない限り、複数の指示対象を含む。
【図面の簡単な説明】
【００１８】
【図１】本開示による処方された流動性医薬品を調合して投与するための順次処理コンピューター実行モジュールのフローチャートである。
【図２】本開示の一実施形態によるフローフード内の秤量器のおよび筺体ハウジングの立体投影図である。
【図３】本開示の一実施形態による図２の秤量器および筺体ハウジングの立体投影図である。
【図４】医薬品が本開示の一実施形態により調合される方法を記述したフローチャートである。
【図５Ａ】医薬品の調合中に与えられる図３のシステムのユーザーインタフェースにもたらされる代表的なスクリーンショットである。
【図５Ｂ】医薬品の調合中に与えられる図３のシステムのユーザーインタフェースにもたらされる代表的なスクリーンショットである。
【図５Ｃ】医薬品の調合中に与えられる図３のシステムのユーザーインタフェースにもたらされる代表的なスクリーンショットである。
【図５Ｄ】医薬品の調合中に与えられる図３のシステムのユーザーインタフェースにもたらされる代表的なスクリーンショットである。
【図６Ａ】医薬品の調合中に与えられる図３のシステムのユーザーインタフェースにもたらされる代表的なスクリーンショットである。
【図６Ｂ】医薬品の調合中に与えられる図３のシステムのユーザーインタフェースにもたらされる代表的なスクリーンショットである。
【図６Ｃ】医薬品の調合中に与えられる図３のシステムのユーザーインタフェースにもたらされる代表的なスクリーンショットである。
【図６Ｄ】医薬品の調合中に与えられる図３のシステムのユーザーインタフェースにもたらされる代表的なスクリーンショットである。
【図７Ａ】医薬品の調合中に与えられる図３のシステムのユーザーインタフェースにもたらされる代表的なスクリーンショットである。
【図７Ｂ】医薬品の調合中に与えられる図３のシステムのユーザーインタフェースにもたらされる代表的なスクリーンショットである。
【図８Ａ】医薬品の調合中に与えられる図３のシステムのユーザーインタフェースにもたらされる代表的なスクリーンショットである。
【図８Ｂ】医薬品の調合中に与えられる図３のシステムのユーザーインタフェースにもたらされる代表的なスクリーンショットである。
【図８Ｃ】医薬品の調合中に与えられる図３のシステムのユーザーインタフェースにもたらされる代表的なスクリーンショットである。
【図８Ｄ】医薬品の調合中に与えられる図３のシステムのユーザーインタフェースにもたらされる代表的なスクリーンショットである。
【図９Ａ】医薬品の調合中に与えられる図３のシステムのユーザーインタフェースにもたらされる代表的なスクリーンショットである。
【図９Ｂ】医薬品の調合中に与えられる図３のシステムのユーザーインタフェースにもたらされる代表的なスクリーンショットである。
【図９Ｃ】医薬品の調合中に与えられる図３のシステムのユーザーインタフェースにもたらされる代表的なスクリーンショットである。
【図９Ｄ】医薬品の調合中に与えられる図３のシステムのユーザーインタフェースにもたらされる代表的なスクリーンショットである。
【図１０Ａ】医薬品の調合中に与えられる図３のシステムのユーザーインタフェースにもたらされる代表的なスクリーンショットである。
【図１０Ｂ】医薬品の調合中に与えられる図３のシステムのユーザーインタフェースにもたらされる代表的なスクリーンショットである。
【図１０Ｃ】医薬品の調合中に与えられる図３のシステムのユーザーインタフェースにもたらされる代表的なスクリーンショットである。
【図１１Ａ】医薬品の調合中に与えられる図３のシステムのユーザーインタフェースにもたらされる代表的なスクリーンショットである。
【図１１Ｂ】医薬品の調合中に与えられる図３のシステムのユーザーインタフェースにもたらされる代表的なスクリーンショットである。
【図１１Ｃ】医薬品の調合中に与えられる図３のシステムのユーザーインタフェースにもたらされる代表的なスクリーンショットである。
【図１１Ｄ】医薬品の調合中に与えられる図３のシステムのユーザーインタフェースにもたらされる代表的なスクリーンショットである。
【図１２Ａ】医薬品の調合中に与えられる図３のシステムのユーザーインタフェースにもたらされる代表的なスクリーンショットである。
【図１２Ｂ】医薬品の調合中に与えられる図３のシステムのユーザーインタフェースにもたらされる代表的なスクリーンショットである。
【図１２Ｃ】医薬品の調合中に与えられる図３のシステムのユーザーインタフェースにもたらされる代表的なスクリーンショットである。
【図１３Ａ】医薬品の調合中に与えられる図３のシステムのユーザーインタフェースにもたらされる代表的なスクリーンショットである。
【図１３Ｂ】医薬品の調合中に与えられる図３のシステムのユーザーインタフェースにもたらされる代表的なスクリーンショットである。
【図１３Ｃ】医薬品の調合中に与えられる図３のシステムのユーザーインタフェースにもたらされる代表的なスクリーンショットである。
【図１４Ａ】医薬品が本開示の他の実施形態により調合される方法を記述したフローチャートである。
【図１４Ｂ】医薬品が本開示の他の実施形態により調合される方法を記述した図１４Ａから続くフローチャートである。
【図１５】本開示の一実施形態による薬局最終確認モジュールの概念図である。
【図１６】本開示による医薬品の調合を薬剤師が点検することを可能にする薬局最終確認モジュールにもたらされる代表的なスクリーンショットである。
【図１７】本開示による薬局最終確認モジュールにもたらされる他の代表的なスクリーンショットである。
【発明を実施するための形態】
【００１９】
以下、説明の目的のため、「上」，「下」，「右」，「左」，「垂直」，「水平」，「先端」，「基端」，「横方向」，「長手方向」という用語およびこれらの派生語は、これが図面で方向付けられるように本発明と関連付けるべきである。しかしながら、特に明記される場合を除き、それと反対に本発明は種々の選択し得る変更を採用することができることを理解すべきである。添付図面に例示されると共に以下の明細書に記述した特定の機器もまた、本発明の単なる典型的な実施形態であることを理解すべきである。それ故、ここに開示された実施形態に関連付けた特定の寸法形状および他の物理的特性が限定するものとして考慮されるべきではない。
【００２０】
図１を参照すると、本開示のシステムは、化学療法剤の如き処方された流動性医薬品を調合して投与するためのいくつかの順次処理コンピューター実行モジュールを使用している。これらのモジュールは、ユーザーからの入力と、出力を生成することと、医薬品の調合および投与のための指令を計算して決定することとを可能にするコードをそれぞれ含み、１つ以上の適当な演算機器の１つ以上のプロセッサ１０１にて実行することができる。より詳細には、このシステムは医者が患者のための処方箋に記入することを可能にし、これは、コンピューター支援指令に基づいて間違いなく調合され、測定された重量に基づいて間違いなく確認され、そして患者に間違いなく投与されるように、その後、確認される。このようなシステムは、以下に詳細に記述した特定のモジュールを含む。これらのモジュールは、（Ａ）コンピューター化医者オーダーエントリー（ＣＰＯＥ）モジュール１００と、（Ｂ）薬剤師確認モジュール２００と、（Ｃ）薬局調合モジュール３００と、（Ｄ）薬局最終確認モジュール４００と、（Ｅ）臨床（例えば投与）モジュール５００とを含む。これらのモジュールは、単一の演算機器に設けられたシングルプロセッサまたはマルチプロセッサにてそれぞれ実行されることができるか、あるいはそれ自身がプロセッサを有する独立した演算機器にてそれぞれ実行されることができ、データと指令とが、限定されないけれどもイーサネット（登録商標）か、Ｗi-Ｆiか、セルラーか、Ｂｌｕｅｔｏｏｔｈ（登録商標）などの如き、何らかの適当な有線または無線通信プロトコルを用いて演算機器の間で通信される。
【００２１】
Ａ．ＣＰＯＥモジュール
ＣＰＯＥモジュール１００は、医者が患者のための処方治療薬の種類を入力することができ、これは特定の患者と関連付けられる処方された医薬品を含んでいる。特に、医者は、患者のための処方箋情報をコンピューターへと入力し、このデータが病院内ネットワークのすみずみにまで伝達され、検索のために記憶され、ここに記述された次のモジュールにて用いられる。処方箋情報は、１つ以上の調合薬と、これら調合薬のための対応する投与量／数量を含むことができる。このＣＰＯＥモジュール１００は随意的な要素であり、システム全体が実行される何らかの場合で用いられない可能性がある。
【００２２】
Ｂ．薬剤師確認モジュール
このシステムの薬剤師確認モジュール２００は、ＣＰＯＥモジュール１００か、このＣＰＯＥモジュール１００が利用されない場合に他のいくつかの供給源から医者により入力された処方指令データを薬剤師が見ることを可能にし、特定の患者のために処方治療薬を手作業で確認する。上述したように、この薬剤師確認モジュール２００をＣＰＯＥモジュール１００と同じ演算機器にて実行することができる。代わりに、ＣＰＯＥモジュール１００を実行する演算機器からリモートな演算機器にて薬剤師確認モジュール２００を実行することができる。
【００２３】
Ｃ．薬局調合モジュール
図２および図３を参照すると、薬局調合モジュール３００は、薬局調合システム１の如きソフトウェアと、関連するハードウェアとを含み、化学療法剤の如き処方される流動性医薬品を調合するステップによって薬剤師または非調剤技師を誘導する。この薬局調合システム１は、注射器または静脈（ＩＶ）バッグに１つ以上の処方された医薬品を調合する薬剤師または非調剤技師を支援する。この薬局調合システム１は、ディスプレイ５とキーボードやマウスの如きユーザー入力機器７とを有するユーザーインタフェース３を含む演算機器４に対して操作可能に結合される。必要に応じ、表示される指示をラミナーフローフード２５の背面の壁に投影するため、ユーザーインタフェース３のディスプレイ５を薬局調合システム１の一部に設けられた小さなＬＥＤプロジェクターとして使用し、それによって図２に示すようなディスプレイ５のためのモニターの必要性を排除することができる。秤量器出力インタフェース１１を有する秤量器９をユーザーインタフェース３に対して操作可能に結合することができる。秤量器９は、物品がそこに置かれた場合、質量、すなわち重量の変化を検出するための何らかの適当な器具として用いられることができる。従って、物品の質量または重量があらかじめ設定された閾値か、あるいはそこに置かれた物品の重量の正確な読み取り値を与える高精度秤量器よりも大きいまたは小さい場合に信号を送る器具として、秤量器９を単に構成することができる。
【００２４】
一実施形態において、バーコードスキャナー１３をユーザーインタフェース３および秤量器９の少なくとも一方に対して操作可能に結合することができ、このバーコードスキャナー１３は、秤量器９の一部に配されてバーコードを有する薬剤処理バイアルを走査することができるようになっている。他の実施形態において、画像取込装置１５をユーザーインタフェース３および秤量器９の少なくとも一方に対して操作可能に結合することができ、この画像取込装置１５は、秤量器９の一部に置かれる薬剤処理バイアルやＩＶバッグまたは注射器の如き物品の画像を取得することができるようになっている。一実施形態において、この画像取込装置１５は、薬剤混合工程の操作および／または次の点検のため、この薬剤混合工程を通して秤量器９の一部に置かれる物品の複数の静止画像または動画を取り込むことができる。
【００２５】
また他の実施形態において、バーコードスキャナー１３および画像取込装置１５の少なくとも一方を少なくとも部分的に筺体ハウジング１７内に収容することができる。ある特定の構成において、ハウジング１７はバーコードスキャナー１３および画像取込装置１５を完全に収容することができる。必要に応じて、ハウジング１７はバーコードスキャナー１３および画像取込装置１５の一方のみを含むことができる。
【００２６】
ハウジング１７は、支持アーム１９によって支持されるかの如く、秤量器９の一部の上方に配されることができる。図２示すように、薬局調合システム１をラミナーフローフード２５内に配することができ、このラミナーフローフード２５は、その内側２９内に空気の層流を作り出すための流入空気供給源２３と流出空気ポート２７とを有する。ハウジング１７の外面２１は、ラミナーフローフード２５内の空気流の擾乱を低減するように最適化された流線形状および／または外形を有することができる。
【００２７】
図３に示すようなこの空気力学的流線形のハウジング１７は、層流の空気流中に器具を有することによって作り出される空気流の擾乱を最小にするようにデザインされている。この構成は、この器具が秤量器の上流近傍に配されることを可能にし、許容重量測定精度（すなわち＋/−０.０５ｇ）と、目標とする薬剤調合を確認するための安定化時間（すなわち２秒を越える追加時間がない）とをさらに有している。
【００２８】
より小さくおよび／またはより流線形のハウジング１７は、流動のより小さな擾乱と、従って精度および安定度の要求に関してより高く合致する可能性とを結果として生ずる。この流線形のハウジング１７は、流動の擾乱および抵抗を最小にする形状を有し、目標とする薬剤調合のために必要とされる安定かつ正確な重量測定の読み取りを可能にする。加えて、ハウジング１７は、必要とされる重量測定の秤量器の精度および安定度と、秤量器９に対して上流側空気流の近傍に入力器具（すなわち画像取込装置１５およびバーコードスキャナー１３）を配することとを可能にする。秤量器９内にこれらの物品が配される近傍は、多くの理由のため、一般的に理想的な領域である。流線形のハウジング１７に対する第２の長所は、薬剤処理の滅菌調合のための清浄な作業環境を提供すると共に維持することである。使用中におけるフローフードでの空気流の目的は、衛生上の理由のために清浄な領域を作り出すことである。物品の近傍または上流側空気流によって作り出される乱流領域は、薬剤調合中に潜在的汚染危険を結果として生ずる可能性がある。結果として、入力器具のために空気力学的形状のハウジングを有することは、層流空気流の擾乱の量を最小にすると共に何らかの種類の汚染の可能性を減少させる。
【００２９】
続けて図３を参照すると、秤量器９は、この秤量器９の秤量面の一部のように、プラテン３１を含むことができ、これは画像取込装置１５により取り込まれる画像の中央の交差凹部３５の如き視覚的情報を技術者に与えることができる。これは、薬剤混合に関連する薬剤処理３７と共に秤量器９のプラテン３１の上方に配されたハウジング１７内に収容される画像取込装置の如き画像取込装置１５の視界内に技術者が関連する供給物を適切に配置することを可能にする。プラテン３１の上面４１は、薬剤混合に関連する薬剤処理３７と共にこのプラテン３１の上面４１での関連する供給物を摩擦により制止するため、プラテン３１の表面から延在する複数の凹溝３９および／または突起を画成することができる。他の構成において、プラテン３１の上面４１は、薬剤混合に関連する薬剤処理３７と共にプラテン３１の上面４１に関連する供給物を同様に制止するため、粘着剤または他の摩擦増大面を含むことができる。溝３９および／または突起の構成は、画像取込装置１５の視界の中央と一致するように構成されたプラテン３１の中央をユーザーに対して容易に示すことができる。
【００３０】
薬剤混合処理中にプラテン３１の上面４１に偶然こぼれる何らかの液体材料を引き止めるため、プラテン３１の表面から延在する複数の凹溝３９および／または突起を構成することができる。複数の凹溝３９は、適切な撤去手段を用いることができるまで、プラテン３１内の限られた領域にて偶然こぼれる材料を集めて引き止めるのに役立つ収容窪み４７を画成することができる。漂白剤やイソプロピルアルコールなどの洗浄剤と同様に、化学療法剤および薬剤の如き腐食剤にさらすことによって引き起こされる劣化を阻止する耐久性のある組成物でプラテン３１の表面をコーティングすることができる。特定の構成において、耐久性のある組成物がエポキシか、エポキシベースの塗料か、またはコーティングであってよい。
【００３１】
図４，図１４Ａおよび図１４Ｂを参照すると、薬剤師／技術者は、作業中に図５Ａ〜図５Ｄ，図６Ａ〜図６Ｄ，図７Ａ〜図７Ｂ，図８Ａ〜図８Ｄ，図９Ａ〜図９Ｄ，図１０Ａ〜図１０Ｃ，図１１Ａ〜図１１Ｄ，図１２Ａ〜図１２Ｃおよび図１３Ａ〜図１３Ｃの１つ以上に示すようなユーザーインタフェース３のディスプレイ５に与えられる一連の表示画面を介して医薬品を調合するための以下のステップを実行することを促される。図４は有効成分が還元される調合の第１段階のフローチャートを提供する。最初に、作業者は、図５Ｃに示すように、処方される医薬品を調合するために還元すべき薬剤を含む薬剤処理コンテナーの第１のバーコードをバーコードスキャナー１３で走査する（ブロック３０１）。そして薬剤処理コンテナーが秤量器９に置かれる（ブロック３０２）。図６Ａに示すように、このステップの図がユーザーインタフェース３のディスプレイ５に表示される。重量が安定したならば、このシステムは、測定された重量が目標重量プラス／マイナスあらかじめ設定した公差を満たしていることを確認する。加えて、画像取込装置１５は、図６Ｂに示すように薬剤処理コンテナーの画像を取得し、これをユーザーに対してユーザーインタフェース３のディスプレイ５に表示する（ブロック３０４）。そしてユーザーは薬剤処理コンテナーを撤去し、この画像が薬剤調合のデータレコードに保存される（ブロック３０６）。
【００３２】
次に、技術者は、図６Ｃに示すように、還元される薬剤に対して混合されるべき流体の流体コンテナーの第２のバーコードを走査する（ブロック３０８）。そして流体コンテナーが秤量器９に置かれ（ブロック３１０）、重量が安定したならば、画像取込装置１５が図６Ｄに示すように流体コンテナーの画像を取得してこれをユーザーに対しユーザーインタフェース３のディスプレイ５に表示する（ブロック３１２）。そしてユーザーは流体コンテナーを撤去し、その画像が薬剤調合のデータレコードに保存される（ブロック３１４）。
【００３３】
その後、図７Ａに示すように、ユーザーが流体コンテナーからの流体を薬剤処理コンテナーへと注入することにより、還元されるべき薬剤を流体コンテナー内の流体と混合させる（ブロック３１６）。そして図７Ｂに示すように薬剤処理コンテナーが秤量器９に戻され、薬剤処理コンテナーの重量が確認される（ブロック３１８）。重量が安定して確認されたならば（ブロック３２０）、画像取込装置１５は秤量器から受信した信号に基づいて薬剤処理コンテナーの画像を自動的に取得し、この画像をユーザーインタフェース３のディスプレイ５に表示する（ブロック３２２）。この画像が所定の要求を満たしていないと技術者が判断した場合、新規または追加の画像を要求するための選択肢がある（ブロック３２４）。他の画像を要求することは、画像取込装置１５をユーザーインタフェース３に表示される「ライブビデオモード」へと自動的に切り替えよう（ブロック３２６）。ここで技術者は、秤量器９の好ましい位置へと薬剤処理コンテナーを動かし、ユーザーインタフェース３を介して画像の取り込みを引き起こさせることができる（ブロック３２８）。秤量器９から物品を取り去ることによって、前述したのと同様に取り込まれた画像がユーザーインタフェース３にて示され、技術者が画像を受け入れてシステムは次の混合ステップへと自動的に移動しよう（ブロック３３０）。
【００３４】
薬剤調合が完了すると、このシステムは還元された薬剤調合に装着するためのバーコードラベルを印刷する。
【００３５】
図１４Ａおよび図１４Ｂを参照すると、薬局調合モジュール３００を用いた医薬品の調合の第２段階が記述されよう。最初に、作業者は図８Ａに示すように還元された薬剤調合のバーコードをバーコードスキャナー１３で走査する（ブロック３３２）。そして図８Ｃに示すように、還元された薬剤調合が秤量器９に置かれ（ブロック３３４）、空の注射器が秤量器９に追加される（ブロック３３６）。重量が安定した時点で、システムは測定された重量が重量目標値プラス／マイナスあらかじめ設定された公差を満たしていることを確認する。加えて、画像取込装置１５は図８Ｄに示すように薬剤処理コンテナーの画像を取得し、これをユーザーに対してユーザーインタフェース３のディスプレイ５に表示する（ブロック３３８）。そしてユーザーは還元された薬剤調合および空の注射器を撤去し、この画像が薬剤調合のデータレコードに保存される（ブロック３４０）。
【００３６】
次に、技術者は、図９Ａに示すように注射器を用いて還元された薬剤調合からあらかじめ設定された量を抜き取るように指示され（ブロック３４２）、そして秤量器９に注射器を戻す（ブロック３４４）。そして図９Ｂに示すように重量が確認される（ブロック３４６）と共に画像が取り込まれる（ブロック３４８）。図１４Ａおよび１４Ｂのフローチャートに示すように重量が少なすぎると判断した場合、技術者は注射器を撤去する（ブロック３５０および図９Ｃ）と共に還元された薬剤調合の追加の量を抜き取るように指示される（ブロック３５２および図９Ｄ）。
【００３７】
還元された薬剤調合の追加の量が注射器に抜き取られると、図１０Ａに示すように注射器は秤量器９に戻される（ブロック３５４）。そして重量が確認される（ブロック３５６）と共に図１０Ｂに示すように画像が取り込まれる（ブロック３５８）。そして、注射器が秤量器（ブロック３６０）から撤去される。
【００３８】
そして技術者は、ＩＶバッグの如き食塩水をそこに有する流体コンテナーのバーコードを走査する（ブロック３６２）。そして流体コンテナーが秤量器９に置かれ（ブロック３６４）、その重量が安定すると、画像取込装置１５が流体コンテナーの画像を取得し、これをユーザーに対してユーザーインタフェース３のディスプレイ５に表示する（ブロック３６６）。この画像が所定の要求を満たしていないと技術者が判断した場合、新規または追加の画像を要求するための選択肢がある（ブロック３６８）。別の画像を要求することは、ユーザーインタフェース３に表示される「ライブビデオモード」へと自動的にカメラを切り替えよう（ブロック３７０）。ここで技術者は秤量器９にある薬剤処理コンテナーを好ましい位置へと動かし、ユーザーインタフェース３を介して画像の取り込みを引き起こさせることができる（ブロック３７２）。秤量器９から物品を取り去ることによって、前述したのと同様に取り込まれた画像がユーザーインタフェース３に示され、技術者は画像を受け入れ（ブロック３７４）、システムは先行するために薬剤師からの認証を自動的に待ち受けよう（ブロック３７６）。図１１Ａ〜図１１Ｃのスクリーンショットは、この処置を例示している。
【００３９】
薬剤師の認証が与えられると（ブロック３７８）、図１２Ａに示すようにユーザーは注射器の内容物を流体コンテナーへと注入する（ブロック３８０）。そして薬剤処理コンテナーが秤量器９に戻され、この薬剤処理コンテナーの重量が確認される（ブロック３８２）。重量が安定して図１２Ｂに示すように確認され（ブロック３８４）、図１２Ｃに示すように画像取込装置１５は秤量器から受信した信号に基づいて薬剤処理コンテナーの画像を自動的に取得し、この画像をユーザーインタフェース３のディスプレイ５に表示する（ブロック３８６）。秤量器９から物品を取り去ることによって、前述したのと同様に取り込まれた画像がユーザーインタフェース３に示され、技術者は画像を受け入れる（ブロック３８８）。薬剤調合が完了すると、このシステムは、医薬品および患者情報の名称を表す符号化情報を含むバーコードラベルを完了した薬剤調合への装着のために印刷する。
【００４０】
薬局調合モジュール３００はまた、演算機器４のプロセッサが薬剤調合中に以下の動作、すなわち(ｉ)医者によって病院内ネットワークからＣＰＯＥモジュール１００に入力された処方箋指示データを引き出し、(ｉｉ)走査されたバーコードが処方箋情報と対応することを確認し、(ｉｉｉ)投与される医薬品の量に関して注射器および／またはＩＶバッグの重量があらかじめ設定した閾精度レベル内にあるか否かを判定し、(ｉｖ)この重量が正確ではない場合には調整を行わなければならないことを決定し、(ｖ)注射器および／またはＩＶバッグの重量に関連するデータを病院内ネットワークへと戻して送信することを行うようにさせるソフトウェア指令を含む。
【００４１】
Ｄ．薬局最終確認モジュール
処方された薬を調合することに続き、薬局最終確認モジュール４００は、薬局調合モジュール３００により作成されて画像取込装置１５により取得された画像を含むデータおよび／または文書と、患者に公開するための調合を承認するか、または承認しないかの何れかとを薬剤師が点検することを可能にする。上述したように、薬剤師最終確認モジュール４００を薬局調合モジュール３００と同じ演算機器に対して実行することができる。代わりに、薬剤師最終確認モジュール４００を薬局調合モジュール３００の演算機器からリモートな演算機器にて実行することができる。このようなリモートな構成が図１５に概略的に例示されている。図１５を参照すると、薬剤師最終確認モジュール４００は、薬局調合モジュール３００からの医薬品の調合に関する情報を受信するように構成されたプロセッサ４０２を有するシステム４０１を含む。この情報は、医薬品の調合と、この医薬品の調合の少なくとも１つのステップ中に秤量器９によってもたらされる重量測定情報との少なくとも１つのステップの少なくとも１つの画像を具えている。このシステム４０１はまた、プロセッサ４０２に操作可能に結合され、このプロセッサ４０２からの指令に基づき、医薬品の調合と、重量測定情報に基づいて医薬品の濃度が許容公差範囲内にあるかどうかの指示との少なくとも１つのステップの少なくとも１つの画像を表示するように構成されたユーザーインタフェース４０３を含む。
【００４２】
薬局最終確認モジュール４００にてもたらされる代表的なスクリーンショットが図１６に与えられている。この代表的な映像に関し、取り込まれた画像が対応する混合指令および薬剤の濃度が数学的手法により設定されたような許容公差範囲の内側または外側にあるか否かの指示と共に示されている。従って、薬局最終確認モジュール４００は、秤量器で集められると共にあらかじめ規定された承認基準に従うように数学的手法により確認される計量測定値と重ね合わされる視覚情報（すなわち調合のそれぞれのステップの画像）を提供する。
【００４３】
図１６および図１７に例示されるように、薬局最終確認モジュール４００は、特定の薬剤調合ステップの選択された画像４２４を表示する第１の部分４２２と、薬剤調合ステップのそれぞれのサムネイル画像を表示する第２の部分４２６と、秤量器によって与えられる計量測定値と一緒に特定の薬剤調合ステップのための混合指令と、薬剤の濃度が許容公差の内側または外側の何れかにあるかを数学的手法によって与えられる指示とを表示する第３の部分４２８とを有する点検ウィンドウ４２０を含む。加えて、アイコン４３０を特定の薬剤調合ステップのサムネイルと関連付け、この特定の薬剤調合ステップの公差要求が満たされていなかったことを薬剤師に対し指示を与えることができる。例えば、緑のチェックマークは公差要求が満たされているか否かを提供することができ、あるいは赤い感嘆符は公差要求が満たされていないか否かを提供することができる。点検ウィンドウ４２０はまた、薬剤師が薬剤調合を承認するか、または拒絶することを可能にするアイコン４３４を表示した第４の部分４３２を含むことができる。
【００４４】
図１６および図１７を続いて参照すると、マウスポインターは、点検ウィンドウ４２０の第２の部分４２６の左から５番目のサムネイルに重ね合わされている。この特定のサムネイルに関し、拡大画像が点検ウィンドウ４２０の第１の部分４２２でのサムネイル列の上およびこのサムネイルの下に示されており、対応する混合指令４３５が計量測定値４３６の結果および手順チェック４３８（図２に与えられた代表的なスクリーンショットも参照）と一緒に点検ウィンドウ４２０の第３部分４２８に示されている。第３の部分４２８はまた、限定されないけれども、公差目標を満たすために混合ステップをどのくらいしばしば繰り返されなければならなかったか、あるいは特定の混合ステップが他の場合と比較して通常よりも多くの時間を費やしていたか否かの如き薬剤調合に関する他の統計的情報を含むことができる。
【００４５】
さらに、サムネイルのアイコン４３０は、特定の混合ステップの公差要求を満たしていたか否かを示し、調合処理に問題が発生したという迅速な案内を薬剤師に与える。多数のサムネイルを取り囲む灰色のボックス（図示せず）は、この混合ステップを表す画像が再取得されたという指示を薬剤師に与える。
【００４６】
取り込まれた画像と、重量測定データから数学的手法によって作成される確認情報とのオーバーレイは、著しく異なる種類の情報を薬剤師が迅速に点検することを可能にする。画像の視覚的情報量は、限定しないけれども、薬剤の色や注射器の種類またはこのシステムが不適切に用いられたか否か（例えば公差要求の手順に合格する必要な重量を作り出すためにユーザーが追加の物品を使った）の如き極めて明確な情報を薬剤師がチェックすることを可能にする。手順チェックの結果を表すサムネイルのアイコン４３０は、薬剤の量が特定の混合ステップに関する公差要求の内側または外側の何れかであったことを薬剤師に伝える２進情報である。赤い感嘆符の形状でのサムネイルにあるアイコン４３０の蓄積は、公差要求を満たすために技術者が何回かの繰り返しを必要としたという迅速な指示を薬剤師に与え、このような薬剤調合を点検する場合に追加の精査を引き起こさせることができる。
【００４７】
Ｅ．臨床モジュール
患者に処方された医薬品を投与する前に、臨床モジュール５００は最終確認を可能にする。患者に近接して配されたバーコードスキャナーが注射器および／またはＩＶバッグのバーコードラベルを走査するために看護師または他の技術者によって用いられる。このバーコードスキャナーはコンピューターと連通し、第２のバーコードの符号化情報を病院内ネットワークから取得される患者情報および／または処方箋情報と確認する。
【００４８】
本発明の特定の実施形態を詳細に記述したけれども、この開示の教示全体を踏まえてこれらの細目に対する種々の変更および代案を策定できることが当業者らによって認識されよう。従って、開示された特定の構成は、添付した特許請求の範囲の最大限の広がりおよびそのありとあらゆる均等物に与えられるべき本発明の範囲に関し、単なる例示であって限定ではないことを意図している。
【図１】
2019166404.tif 000003
【図２】
2019166404.tif 000004
【図３】
2019166404.tif 000005
【図４】
2019166404.tif 000006
【図５Ａ】
2019166404.tif 000007
【図５Ｂ】
2019166404.tif 000008
【図５Ｃ】
2019166404.tif 000009
【図５Ｄ】
2019166404.tif 000010
【図６Ａ】
2019166404.tif 000011
【図６Ｂ】
2019166404.tif 000012
【図６Ｃ】
2019166404.tif 000013
【図６Ｄ】
2019166404.tif 000014
【図７Ａ】
2019166404.tif 000015
【図７Ｂ】
2019166404.tif 000016
【図８Ａ】
2019166404.tif 000017
【図８Ｂ】
2019166404.tif 000018
【図８Ｃ】
2019166404.tif 000019
【図８Ｄ】
2019166404.tif 000020
【図９Ａ】
2019166404.tif 000021
【図９Ｂ】
2019166404.tif 000022
【図９Ｃ】
2019166404.tif 000023
【図９Ｄ】
2019166404.tif 000024
【図１０Ａ】
2019166404.tif 000025
【図１０Ｂ】
2019166404.tif 000026
【図１０Ｃ】
2019166404.tif 000027
【図１１Ａ】
2019166404.tif 000028
【図１１Ｂ】
2019166404.tif 000029
【図１１Ｃ】
2019166404.tif 000030
【図１１Ｄ】
2019166404.tif 000031
【図１２Ａ】
2019166404.tif 000032
【図１２Ｂ】
2019166404.tif 000033
【図１２Ｃ】
2019166404.tif 000034
【図１３Ａ】
2019166404.tif 000035
【図１３Ｂ】
2019166404.tif 000036
【図１３Ｃ】
2019166404.tif 000037
【図１４Ａ】
2019166404.tif 000038
【図１４Ｂ】
2019166404.tif 000039
【図１５】
2019166404.tif 000040
【図１６】
2019166404.tif 000041
【図１７】
2019166404.tif 000042
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
医薬品の確認調合を点検するためのシステムであって、
前記医薬品の調合に関する情報を受信するように形成され、この情報が少なくとも１つの前記医薬品の調合ステップの少なくとも１つの画像と、前記少なくとも１つの医薬品の調合ステップ中に秤量器によって与えられる重量測定情報とを具えているプロセッサと、
このプロセッサに対して操作可能に結合され、当該プロセッサからの指令に基づき、前記少なくとも１つの医薬品の調合ステップの前記少なくとも１つの画像と、前記重量測定情報に基づいて前記医薬品の濃度が許容公差の範囲内にあるか否かの指示とを表示するように構成されたユーザーインタフェースと
を具えたことを特徴とするシステム。
【請求項２】
前記少なくとも１つの医薬品の調合ステップの前記少なくとも１つの画像は、それぞれの前記医薬品の調合ステップの画像を含み、前記ユーザーインタフェースは、それぞれのステップのサムネイル画像を表示する領域を含むことを特徴とする請求項１に記載のシステム。
【請求項３】
前記サムネイル画像のそれぞれに描かれた前記医薬品の調合ステップに関する前記医薬品の濃度が前記許容公差の範囲内にあるか否かを確認するため、図形による指示が前記サムネイル画像のそれぞれに重ね合わされることを特徴とする請求項２に記載のシステム。
【請求項４】
前記ユーザーインタフェースは、表示される前記医薬品の調合の少なくとも１つのステップの少なくとも１つの画像に対応した前記医薬品の調合に関する指令を表示する領域を含むことを特徴とする請求項１に記載のシステム。
【請求項５】
前記ユーザーインタフェースは、ユーザにより選択されたときに、前記ユーザに前記医薬品が正確に調合されたことを示すアイコンを含むことを特徴とする請求項１に記載のシステム。
【請求項６】
前記ユーザーインタフェースは、ユーザにより選択されたときに、前記ユーザに前記医薬品が正確に調合されなかったことを示すアイコンを含むことを特徴とする請求項１に記載のシステム。
【請求項７】
前記ユーザーインタフェースは、公差要求を満たすために何回調合ステップの繰り返しを必要としたかに関する情報を表示する領域を有することを特徴とする請求項１に記載のシステム。
【請求項８】
前記ユーザーインタフェースは、１以上の調合ステップを完了するのにどのくらいの時間を必要としたかに関する情報を表示する領域を有することを特徴とする請求項１に記載のシステム。